(57)【要約】【課題】表示部を視認可能な状態で第２の筐体を第１の筐体へ収納させたビューワスタイルにおいて、操作性や使い勝手を向上させる撮影装置を提供するものである。【解決手段】カーソルキー４３を備えた第１の筐体と、表示部２６を備えかつ第１の筐体に回動自在に軸支された第２の筐体２７とから構成される撮影装置であって、第２の筐体２７の回動位置を検出する回動検出部３０と、回動検出部３０で検出された第２の筐体２７の回動位置に基づいてカーソルキー４３の各キー４３ａ〜４３ｄに割り当てる機能を設定するよう制御するビューワ制御部４１及び機能割当部４２とを備え、カーソルキー４３の操作方向と表示部２６の表示の向きとが相対的に一致するように、キー４３ａ〜４３ｄに割り当てる機能を設定するよう制御するものである。【選択図】図６
2007097152.tif 000002
【特許請求の範囲】
【請求項１】
被写体の反射光像を集光させるレンズと、前記反射光像を映像信号に変換して出力する撮像部と、少なくとも上下左右方向へ操作が可能な複数のキーを備えた操作部とを備えた第１の筐体と、
前記撮像部から出力される前記映像信号を表示可能な表示部を備えた第２の筐体と、
前記第２の筐体が備える前記表示部を前記第１の筐体に対し開閉自在に軸支する開閉支軸と、前記第２の筐体が備える前記表示部を前記第１の筐体に対し回動自在に軸支する回動支軸と、
前記第２の筐体の前記第１の筐体に対する開閉支軸回りの開閉位置及び前記回動支軸回りの回動位置を検出する回動検出部と、
前記回動検出部で検出された前記第２の筐体の前記開閉位置及び／または前記回動位置に基づいて、前記操作部の各キーに割り当てる機能を設定制御する制御部とを備え、
前記制御部は、前記第２の筐体が前記回動支軸回りの回動が不能な状態を前記回動検出部が検出した時、前記操作部の操作方向と前記表示部の表示の向きとが相対的に一致するように、前記キーに割り当てる機能を設定するよう制御することを特徴とする撮影装置。
【請求項２】
前記第１の筐体に、前記撮像部が出力する前記映像信号を情報媒体に記録再生する記録再生部と、前記操作部が配置された前記第１の筐体における面に前記映像信号を前記記録再生部により前記情報媒体への記録操作する第２の操作部とをさらに備え、
前記情報媒体に記録された前記映像信号を前記記録再生部で前記表示部に再生する再生モードと、前記被写体の反射光像を前記撮像部で撮影する撮影モードとを選択操作する第３の操作部を前記第１の筐体に備え、
前記第３の操作部が前記再生モードを選択し、前記制御部は前記操作部の操作方向を前記表示部の表示の向きに相対的に一致させる制御を行う、請求項１記載の撮像装置。
【請求項３】
前記第１の筐体に、前記撮像部が出力する前記映像信号を情報媒体に記録再生する記録再生部と、前記操作部が配置された前記第１の筐体における面に前記映像信号を前記記録再生部により前記情報媒体への記録操作する第２の操作部とをさらに備え、
前記情報媒体に記録された前記映像信号を前記記録再生部で前記表示部に再生する再生モードと、前記被写体の反射光像を前記撮像部で撮影する撮影モードとを選択操作する第３の操作部を前記第１の筐体に備え、
前記第３の操作部が前記撮影モードを選択し、前記制御部は前記表示部における表示を当該表示部の長手方向を縦向きとしたポートレートモードに制御する、請求項１または２記載の撮影装置。
【発明の詳細な説明】
【技術分野】
【０００１】
本発明は、被写体の反射光を対物レンズで集光した集光像を、撮像素子で映像信号に変換し、当該映像信号を情報媒体に記録する撮影装置に関する。
【背景技術】
【０００２】
撮像素子を介して動画を情報媒体に記録するカメラとしては、テープ状情報媒体に映像信号等を記録可能なビデオカメラや、半導体メモリに映像信号等を記録可能なデジタルカメラが普及している。
【０００３】
近年、普及しているビデオカメラは、撮影映像等を良好に視認可能なように、液晶モニタのサイズを大型化した機種が増えてきている。さらに、液晶モニタのサイズを大型化しつつ、デジタルカメラを大きくしないように、液晶モニタを本体（第１の筐体）に対して別筐体（第２の筐体）とし、第２の筐体を第１の筐体に対して回動させて収納可能なように配置されているものが主流である。このような筐体構造を備えた装置が、特許文献１に開示されている。
【０００４】
図１０はモニタ部付き制御装置（以下、制御装置と記す）の正面図である。図１１は図１０の状態の制御装置を紙面内で１８０度回動させた状態の正面図である。図１２は図１０の状態の制御装置を上側から見た図である。
【０００５】
図に示す制御装置１０１は、液晶表示部１０２とグリップ部１０５の２つの筐体から構成され、互いにヒンジ部１０７を軸に回動自在に構成されている。液晶表示部１０２には、映像情報などを表示可能な表示部１０３と、各種操作が可能な複数の操作ボタンなどから構成される操作部１０４が配されている。また、グリップ部１０５には、他の通信ケーブルが接続可能な端子１０６が配されている。
【０００６】
制御装置１０１は、ビデオカメラ（図示せず）に対して着脱可能であり、制御装置１０１でビデオカメラを遠隔操作する際は、制御装置１０１をビデオカメラから離脱させ、ケーブルまたは無線通信を介してビデオカメラと通信可能な状態にする。なお、ケーブルによる通信を行う際は、通信ケーブルの一方の端子を端子１０６に接続し、他方の端子をビデオカメラの端子（図示せず）に接続する。
【０００７】
このようにしてビデオカメラと接続されることで、ビデオカメラで撮影中の映像情報や、ビデオカメラに装着されている情報媒体から再生される映像情報などが、通信ケーブルを介して制御装置１０１へ入力される。
【０００８】
制御装置１０１は、入力される映像情報を表示部１０３に表示させる。使用者は、表示部１０３に表示される映像情報等を見ながら、操作部１０４を操作することで、撮影操作や再生操作などの操作を行うことができる。
【０００９】
また、グリップ部１０５は液晶表示部１０２に対して、ヒンジ部１０７を介して、矢印Ｚに示す方向及びその逆方向へ回動自在に軸支されている。例えば、使用者が右手で制御装置１０１を把持する場合は、図１０に示す状態にする。図１０に示す状態では、表示部１０３における表示の向きに対して、上部に操作部１０４が位置する。
【００１０】
また、制御装置１０１を左手で把持する場合は、グリップ部１０５を図１０に示す状態から矢印Ｚに示す方向へ約１８０度回動させ、図１１に示す状態にする。図１１に示す状態において、表示部１０８に表示される映像情報に対して上下反転処理が行われ、図示のように操作部１０４は、表示部１０３における表示の向きに対して下部に位置する。
【特許文献１】特開２００１−３２０６２５号公報
【発明の開示】
【発明が解決しようとする課題】
【００１１】
しかしながら上記従来の構成では、図１０に示す状態と図１１に示す状態とで、操作部１０４における各操作ボタンの配置が左右逆転してしまい、使用者における誤操作を招いてしまう可能性があるという問題があった。すなわち、制御装置１０１が図１０に示す状態の時に、右端に位置していた操作ボタン１０４ａが、制御装置１０１が図１１に示す状態になると左端に位置することになり、使用者において誤操作されてしまう可能性がある。
【００１２】
本発明は、上記問題点に鑑み、表示部を視認可能な状態で第２の筐体を第１の筐体へ収納させた状態において、操作性や使い勝手を向上させる撮影装置を提供することを目的とする。
【課題を解決するための手段】
【００１３】
上記目的を達成するために本発明の撮影装置は、被写体の反射光像を集光させるレンズと、前記反射光像を映像信号に変換して出力する撮像部と、少なくとも上下左右方向へ操作が可能な複数のキーを備えた操作部とを備えた第１の筐体と、前記撮像部から出力される前記映像信号を表示可能な表示部を備えた第２の筐体と、前記第２の筐体が備える前記表示部を前記第１の筐体に対し開閉自在に軸支する開閉支軸と、前記第２の筐体が備える前記表示部を前記第１の筐体に対し回動自在に軸支する回動支軸と、前記第２の筐体の前記第１の筐体に対する開閉支軸回りの開閉位置及び前記回動支軸回りの回動位置を検出する回動検出部と、前記回動検出部で検出された前記第２の筐体の前記開閉位置及び／または前記回動位置に基づいて、前記操作部の各キーに割り当てる機能を設定制御する制御部とを備え、前記制御部は、前記第２の筐体が前記回動支軸回りの回動が不能な状態を前記回動検出部が検出した時、前記操作部の操作方向と前記表示部の表示の向きとが相対的に一致するように、前記キーに割り当てる機能を設定するよう制御するものである。
【発明の効果】
【００１４】
本発明の撮影装置は、操作部のキー操作方向と表示部の表示方向とを一致させることができるため、上下や左右にキー操作を行うとき使用者による誤操作を抑制できるため、例えば動画撮影時の操作性を向上させることができる。
【発明を実施するための最良の形態】
【００１５】
本発明の撮影装置における第１の筐体に、前記撮像部が出力する前記映像信号を情報媒体に記録再生する記録再生部と、前記操作部が配置された前記第１の筐体における面に前記映像信号を前記記録再生部により前記情報媒体への記録操作する第２の操作部とをさらに備え、前記情報媒体に記録された前記映像信号を前記記録再生部で前記表示部に再生する再生モードと、前記被写体の反射光像を前記撮像部で撮影する撮影モードとを選択操作する第３の操作部を前記第１の筐体に備え、前記第３の操作部が前記再生モードを選択し、前記制御部は前記操作部の操作方向を前記表示部の表示の向きに相対的に一致させる制御を行う構成とすることができる。この構成により、第３の操作部により表示部を再生モードにすると共に、制御部による操作部の各キー方向が当該表示部に表示される映像の方向に対応した向きに制御することができることで、表示部に表示される映像を見やすく、各キーの操作方向に誤操作を及ぼすことを抑制することができる。
【００１６】
また、本発明の撮像装置における前記第１の筐体に、前記撮像部が出力する前記映像信号を情報媒体に記録再生する記録再生部と、前記操作部が配置された前記第１の筐体における面に前記映像信号を前記記録再生部により前記情報媒体への記録操作する第２の操作部とをさらに備え、前記情報媒体に記録された前記映像信号を前記記録再生部で前記表示部に再生する再生モードと、前記被写体の反射光像を前記撮像部で撮影する撮影モードとを選択操作する第３の操作部を前記第１の筐体に備え、前記第３の操作部が前記撮影モードを選択し、前記制御部は前記表示部における表示を当該表示部の長手方向を縦向きとしたポートレートモードに制御する構成とすることができる。この構成により、第３の操作部により表示部を撮影モードにすると共に、制御部により表示部の表示方向をポートレートモードに変換できるため、所望の拡大率で人物像を選択的に撮影することができる。
【００１７】
（実施の形態１）
〔１．撮影装置１の全体構成〕
図１及び図２は実施の形態１における撮影装置の外観を示す斜視図である。図１は撮影可能状態である撮影装置をレンズ側（被写体側）から見た図で、図２は撮影可能状態である撮影装置を操作部側（撮影者側）から見た図である。
【００１８】
図１及び図２において、撮影装置１は、レンズ９が収納されている鏡筒２を備えるとともに情報媒体や各種回路やバッテリーなどが内蔵された第１の筐体５（媒体収納手段）と、不図示の撮像素子によって被写体等からの反射光を光電変換した撮影映像などを表示可能な表示部８を備えた第２の筐体４とから構成されている、なお、本実施形態では、撮像素子は鏡筒２に組み込まれている構成として説明するが、鏡筒２と撮像素子とを分離して配置する構成を排除するものではない。
【００１９】
図１に示すように、鏡筒２は、長手方向の一端面にレンズ９（対物レンズ）が設けられており、レンズ９を介して被写体からの反射光（被写体が光源など直接発光する場合には発光光線も含有する）が入射可能となっている。図示していないが、鏡筒２内のレンズ９の光軸１２上には、ズームレンズやフォーカスレンズなどが配されている。なお、鏡筒２において、レンズ９等が設けられた側の端面にレンズフードを着脱可能な構成としてもよい。
【００２０】
図１に示すように、第２の筐体４は、支軸７（開閉支軸）を軸に、第１の筐体５に対して矢印Ａ方向（図３参照）およびその逆方向に開閉自在に支持されている。また、第２の筐体４は、支軸６（回動支軸）を軸に、矢印Ｂ方向（図３参照）及びその逆方向に回動自在に配されている。なお、便宜上、支軸６及び７の図示は一点鎖線にて簡略表記した。なお、第２の筐体４を第１の筐体５に対して収納させた状態（表示部８（後述）を第１の筐体５の主面に対向させた状態）の時は撮影装置１の電源をオフとし、第２の筐体４を第１の筐体５に対して支軸７を軸に回動させると電源がオンとなるように、スイッチ（図示せず）等を支軸６及び／または支軸７に設ける構成でもよい。これにより、電源をオン／オフするためのスイッチを撮影装置１の表面に配置させる必要がないため、撮影装置１の小型化が可能となる。
【００２１】
図１に示すように、支軸６は、光軸１２に対して略直交するように配されている。また、支軸６の一端は第２の筐体４に固定され、第２の筐体４を第１の筐体５に対して回動する支軸６は、支軸７に略直交して配置されている。また、支軸７は、光軸１２に対して略平行に配されており、第１の筐体５に固定されている。
【００２２】
図１及び２に示すように、第１の筐体５には、情報媒体を着脱可能な機構や、信号処理回路や、撮影装置１の駆動源であるバッテリーなどが内蔵されている。なお、本実施の形態では、半導体メモリカード（不図示）を情報媒体として使用する構成になっているが、光ディスクやテープカセットなどの情報媒体でもよく、半導体メモリカードとテープカセットや半導体メモリカードと光ディスクといった複数種類の情報媒体であってもよい。また、情報媒体は必ずしも着脱可能なものに限らず、ハードディスクドライブなどのように固定型の情報媒体でもよい。また、メモリカードを着脱させるためのメモリカードスロットは、第１の筐体５の底面に設けられている（図示せず）が、他の部位に設けてもよい。特に、第１の筐体５に第２の筐体４が収納された際に表示部８と対向する面に設けることで、第２の筐体４を収納状態にした時に第２の筐体４がメモリカードスロットを覆い隠すため、メモリカードスロットに蓋を設けなくても、埃や異物が侵入するのを防ぐことができる。
【００２３】
図２に示すように、第２の操作部３１は、第１の筐体５においてレンズ９が配された面の反対面に配されている。第２の操作部３１は、略円形のシャッターボタン３１ａを中心にして、その外周に略ドーナツ型のズームレバー３１ｂが配されている。シャッターボタン３１ａを操作することで、撮影装置１内において動画や静止画の撮影動作が行われる。また、ズームレバー３１ｂを、シャッターボタン３１ａを中心に時計方向あるいは反時計方向へ、所定の回転角度まで回転操作させることで、ズーム操作を行うことができる。また、シャッターボタン３１ａの周囲にズームレバー３１ｂを近接配置させたことで、使用者が例えば親指で第１の操作部４５を操作する際に、ズームレバー３１ｂまたはシャッターボタン３１ａの操作に連動して、親指の少ない移動量でズーム操作等が可能であるため、操作性を向上させることができる。
【００２４】
なお、本実施の形態では、ズームレバー３１ｂを回転操作可能に構成しているが、このような操作方式に限るものではなく、例えば右側を押下するとズームアップ操作を行うことができ、左側を押下するとズームダウン操作を行うとができるシーソー式スイッチで構成してもよい。
【００２５】
図２に示すように、操作部（以下、第１の操作部と称す）４５は、第１の筐体５において第２の操作部３１と同一面に配されている。第１の操作部４５は、ボタン４４と、その外周に配された略ドーナツ型のカーソルキー４３とから構成されている。カーソルキー４３は、上・下・左・右の各方向に対応した押圧操作が可能に構成されている。カーソルキー４３は、撮影装置１が静止画撮影モードや動画撮影モードの場合（各撮影モードの説明については後述する）は、ホワイトバランスやマクロ撮影などの各種設定操作を行うことができ、撮影装置１が静止画再生モードや動画再生モードの場合は、再生や停止などの動作命令や、表示部８に表示される静止画サムネイルにおいて所望の静止画を選択する操作を行うことができる。カーソルキー４３の具体的な操作例については後述する。ボタン４４は、カーソルキー４３で所定の設定操作を行った際に、「決定ボタン」等として機能する。また、ボタン４４の周囲にカーソルキー４３を近接配置させたことで、使用者が例えば親指で第１の操作部４５を操作する際に、カーソルキー４３で所定の設定操作を行った後、親指の少ない移動量でボタン４４を操作して「決定操作」を行うことが可能であるため、操作性を向上させることができる。
【００２６】
また、第２の操作部３１と第１の操作部４５とを近接配置したことにより、使用者が例えば右手親指で第２の操作部３１と第１の操作部４５とを選択的に操作することができるため、親指の少ない移動量で操作することができる、また、右手親指で届く範囲に第２の操作部３１と第１の操作部４５とを配しているため、第１の筐体５を持ち替えずに操作することができる。
【００２７】
図２に示すように、第３の操作部３３は、第１の筐体５において第２の筐体４が配された面の反対面に配されている。第３の操作部３３は、時計周りあるいは反時計周りに回転させて、撮影装置１のモードを設定することができる。本実施の形態の場合、設定できるモードは、被写体等の静止画を撮影可能な「静止画撮影モード」、被写体等の動画を撮影可能な「動画撮影モード」、第１の筐体５内に装着されている情報媒体に記録されている静止画を再生可能な「静止画再生モード」、同様に情報媒体に記録されている動画を再生可能な「動画再生モード」の、４種類のモードに設定可能であるが、これらのモードに限らず、パソコン接続モードなどの他のモードを割り当ててもよい。これらの各種モードを、周知のモードダイヤルで構成された第３の操作部３３を操作することによって、任意のモードを選択可能である。また、第３の操作部３３は、第２の操作部３１及び第１の操作部４５の近傍に配置されているため、使用者が例えば右手で第１の筐体５を把持した際に、右手親指で第３の操作部３３を操作することができる。よって、右手親指で、第１〜第３の操作部を操作することができるため、操作性を向上させることができる。なお、本実施の形態では、第３の操作部３３をモードダイヤルで構成しているが、このような操作方式に限るものではなく、例えば第１の操作部４５のようなカーソルキー４３を備えてもよい。
【００２８】
図２に示すように、表示部８は、第２の筐体４の主面に配され、例えば２〜４インチ程度の液晶ディスプレイから構成されている。表示部８には、撮像中の映像をはじめとして、例えばメモリーカードの残容量、バッテリーの残量、逆光／順光等の現在の撮影状況等の各種情報を表示可能である。また、表示部８には、撮影装置が再生モードである時は、再生可能な動画や静止画、映像信号や音声信号に関する情報（撮影日時やカウンタ、音声のビットレートなど）、メニューなどを表示可能である。なお、表示部８は、液晶ディスプレイに限らず、有機ＥＬ素子等の他の表示素子であってもよい。
【００２９】
図３は鏡筒２を光軸方向から見た正面図であり、図３（ａ）はレンズバリア１０（後述）が閉じた状態、図３（ｂ）はレンズバリアが開いた状態である。
【００３０】
図３に示すように、鏡筒２の端部には、レンズ９の前面を覆うことが可能なようにレンズバリア１０が配されている。レンズバリア１０は、光軸１２に対して略直交する方向へ移動可能な複数枚の羽根１０ａから構成されている。本実施の形態では、４枚の羽根１０ａが互いに重なるように配されている。その羽根１０ａが、図３（ｂ）に示す状態から光軸に近づく方向へ移動されることで、図３（ａ）に示すようにレンズ９前面を覆う状態にすることができ、レンズ９を傷や異物から保護することができる。また、図３（ａ）に示す状態から、羽根１０ａが光軸から離れる方向へ移動されることで、図３（ｂ）に示すようにレンズ９が開放される状態にすることができ、被写体からの反射光等を鏡筒２内へ入射させることができる。また、レンズバリア１０は、モータなどの駆動源によって開閉動作される。また、羽根１０ａの枚数は４枚に限るものではない。
【００３１】
図２に示す電源ボタン１１は、撮影装置１の電源をオン／オフ操作するものである。
【００３２】
以上のように構成された本実施の形態について、以下動作について説明する。
【００３３】
〔２．撮影装置１の動作説明〕
〔２−１．基本動作〕
図４は第２の筐体４の回動動作を説明するための斜視図で、図４Ａは第２の筐体４が第１の筐体５へ収納された待機状態（表示部８が第１の筐体５に対向）、図４Ｂは図４Ａの状態から支軸７の軸周りに矢印Ａ方向に約９０度回動させた状態、図４Ｃは図４Ｂの状態から第２の筐体４を支軸６を軸に矢印Ｂ方向に９０度回動させた状態（いわゆる通常の撮影可能状態。第１の位置）、図４Ｄは図４Ｃの状態から第２の筐体４を支軸６を軸に矢印Ｂ方向に約９０度回動させて表示部８を上方向に向かせた状態、図４Ｅは図４Ｃの状態から第２の筐体４を支軸６を軸に矢印Ｂの反対方向へ１８０度回転させた状態（いわゆる自分撮り状態）である。図５は、図４Ｄの状態から第２の筐体４を支軸７の軸周りに矢印Ｃ方向に約９０度回動させて第１の筐体５へ収納させた状態（第２の位置）であり、この状態を「ビューワスタイル」と称する。ビューワスタイルは、図５に示すように撮影装置１の支軸７が軸支される側面に沿ってを、表示部８が外方向を向くように横置きにし、第１の操作部４５及び第２の操作部３１を使用者側（図中手前側）に向けた使用形態である。
【００３４】
まず、待機状態から撮影可能状態へ移行させる動作について説明する。
【００３５】
図４Ａに示すように、第１の筐体５に第２の筐体４が収納された待機状態において、電源ボタン１１を操作して、撮影装置１の電源をオンにする。
【００３６】
次に、図４Ａに示すように第１の筐体５に収納された第２の筐体４を、支軸７の軸周りに矢印Ａに示す方向に約９０度回動させ、図４Ｂに示す状態にする。次に、第２の筐体４を図４Ｂに示す状態から、支軸６の軸周りに矢印Ｂに示す方向へ約９０度回動させて、図４Ｃに示す第１の位置にする。この時、撮影装置１の内部に配された駆動源によって、レンズバリア１０の羽根１０ａがスライド動作され、レンズバリア１０が図３（ａ）に示す状態から図３（ｂ）に示すようにレンズ９が露出した状態へ移行される。なお、この時の第２の筐体４の回動角度は、撮影者にとって表示部８が見やすい任意の角度に設定することができる。
【００３７】
また、前述のように撮影装置１の電源がオンにされ、レンズバリア１０が開かれた時、被写体からの反射光像等の光がレンズ９を介して鏡筒２内へ入射される。入射された光は、撮像素子で電気信号へ変換され信号処理が施された後、映像信号（いわゆるスルー画像）が表示部８に表示される。
【００３８】
次に、撮影者は、図２に示す第３の操作部３３を操作してモード選択を行う。例えば、動画の撮影を行う場合は第３の操作部３３を操作して「動画撮影モード」に設定し、静止画の撮影を行う場合は「静止画撮影モード」に設定する。この第３の操作部３３による何れかの撮像モードの設定によって通常の撮像状態となる。
【００３９】
次に、撮影者は、表示部８に表示されるスルー画像を見ながら、第２の操作部３１を操作して、ホワイトバランスなどの各種画質調整を行ったり、ズームレバー３１ｂを操作してズーム調整などを行う。さらに、任意のタイミングでシャッターボタン３１ａを操作することで、静止画または動画を情報媒体に記録させることができる。なお、第３の操作部３３で「静止画撮影モード」に設定されている場合は、シャッターボタン３１ａが一回操作されることで１枚の静止画が撮影される。また、「動画撮影モード」に設定されている場合は、シャッターボタン３１ａが一回操作されることで動画の記録が開始され、次にシャッターボタン３１ａを操作された時に記録動作が停止される。
【００４０】
撮影を終了する場合は、上記手順に対する逆手順を辿り、第２の筐体４を図４Ａに示す収納状態に戻し、電源ボタン１１を操作して電源をオフにする。
【００４１】
また、撮影装置１で、情報媒体に記録された動画や静止画を再生させるには、まず撮影装置１の第２の筐体４を図４Ｃに示す第１の位置にする。次に、第３の操作部３３を操作して、「動画再生モード」または「静止画再生モード」に設定すると、表示部８に静止画のリスト（サムネイル）か動画のリストとして表示される。使用者は、第１の操作部４５のカーソルキー４３を操作して、表示されたリストの中から再生したい静止画または動画のサムネイルを選択し、ボタン４４の操作によって決定する。これにより、選択された静止画または動画を、表示部８に再生表示させることができる。なお、動画が再生される際は、内蔵スピーカー（図示せず）から音声が出力される。
【００４２】
〔２−２．ビューワスタイル及びポートレートモード〕
また、撮影装置１をビューワスタイルへ移行させるには、図４Ｃに示す撮影可能状態において第２の筐体４を矢印Ｂに示す方向へ回動させて、図４Ｄに示すように表示部８が上方向を向く状態にする。次に、第２の筐体４を、支軸７の軸周りに矢印Ｃに示す方向へ回動させ第１の筐体５へ収納させて表示部８を第２の位置とし、図５に示すビューワスタイルの状態にする。
【００４３】
図５に示すビューワスタイルにおいて、前述と同様の手順で再生を行うための操作をすることで、動画や静止画を再生させることができる。また、ビューワスタイルにおいて、動画や静止画の撮影を行うことができる（詳細は後述する）。
【００４４】
図５に示すビューワスタイルにおいて、使用者が撮影装置１を手で把持して操作する場合は、第１の操作部４５が使用者側を向く状態で、撮影装置１の長手方向両端（図５の左右両端）を両手で把持し、例えば右手親指で第１の操作部４５を操作する。また、撮影装置１において、第２の筐体４が配された面の反対面を平らな場所へ配置させることも可能である。
【００４５】
次に、自分撮りを行う際は、第２の筐体４を図４Ｃに示す状態から、矢印Ｂの反対方向へ１８０度回転させて、図４Ｅに示す状態にする。図４Ｅに示す状態は、レンズ９と表示部８とが略同一方向を向いている状態である。この状態で、第３の操作部３３を操作して撮影装置１を撮影モードへ移行させ、レンズ９及び表示部８を撮影者自身に対向させることで、撮像素子において撮影者自身を撮像することができ、表示部８に撮影者自身のスルー画像を表示させることができる。この状態から第１の操作部４５を操作して前述したように撮像に係る各種設定操作を行い静止画あるいは動画撮影を行うことで、撮影者自身を撮影することができる。なお、自分撮りを行う際の表示部８に表示される映像は、後述するように例えば図４Ｃの方向と上下逆転して表示する。
【００４６】
次に、ポートレートモードでの撮影について説明する。
【００４７】
図６は、撮影装置１でポートレートモードで被写体７０を撮影している状態を示す斜視図である。ポートレートモードとは、撮像素子の長辺方向が被写体の縦方向と略一致するように、撮影装置１を構えて撮影を行うモードのことであり、人物や高木や塔など高さ方向に長い被写体を中心として撮影する際に有効な撮影モードである。なお、撮影装置１に搭載されている撮像素子は、長辺と短辺とを有する略長方形の有効撮像領域を有し、表示部８も撮像素子の有効撮像領域に対応した長辺と短辺とを備える。従って、通常の撮像時には、撮影装置１が図４Ｃに示す状態の時に有効撮像領域における長辺が表示部８の横方向になるランドスケープモードとして、第１の筐体５に対し第１の位置に配置されている。すなわち、撮影装置１を図４Ｃに示す状態にして撮影を行うと、長辺が横方向となる横長の画像を撮影することができる。
【００４８】
本実施の形態の撮影装置１を用いてポートレートモードで撮影を行う際は、第３の操作部３３を操作して撮影装置１を撮影モードにし、第２の筐体４を図６に示す第２の位置にする。次に、撮影装置１を、図６に示すように構える（図５に示すビューワスタイルと同様）。この時、撮像素子で撮像されて表示部８に表示されるスルー画像は、図６に示すように、画像の長手方向と表示部８の長辺方向とが一致する表示方向に制御される。すなわち、撮像素子で撮像している縦方向に長い画像を、表示部８のほとんどの表示エリアを使って表示させることができる。この状態で、第２の操作部３１を操作することで、静止画または動画を撮影し記録することができる。
【００４９】
また、ポートレートモードで撮影された画像を再生すると、撮影時と同様、図６に示すように画像の長手方向と表示部８の長辺方向とが一致する表示方向に制御される。すなわち、撮像素子で撮像している縦方向に長い画像を、表示部８のほとんどの表示エリアを使って表示させることができる。
【００５０】
上記のように、ポートレートモードで撮影を行う際、あるいはポートレートモードで撮影された画像を再生する際、スルー画像あるいは再生画像を表示部８のほとんどの表示エリアを使って表示させることができるため、撮像素子の有効撮像領域の短辺方向が撮影目的の画像の長手方向であるがため当該画像を縮小して撮像せざるを得ないランドスケープモードに比べると、例えば表示部８の縦横比一杯に画像を大きく表示させることができ、画像の細部まで目視確認することができる等、メリハリのある撮像を可能と成し得る。
【００５１】
〔３．撮影装置１の内部構成〕
次に、撮影装置１の内部構成について説明する。
【００５２】
図７は、撮影装置１のカメラ信号処理系及び制御系の構成を示すブロック図である。図７において、レンズバリア１０は、レンズ９の光軸方向前段に開閉自在に配される。撮像素子（以下ＣＣＤと記す）２２は、レンズ９を介して入射される光信号を電気信号に変換して出力するものである。映像信号処理部２４は、ＣＣＤ２２から出力される電気信号に基づき、映像信号を生成し、ノイズ除去や画質調整や圧縮処理などの各種信号処理が施される。表示制御部２５は、映像信号処理部２４から出力される映像信号を表示部８に表示させるよう制御する。表示部８は、第２の筐体４に備えられ、表示制御部２５からの制御によって、映像信号等を表示可能である。表示部８は、本実施の形態では液晶ディスプレイとしたが、これに限らず、例えば有機ＥＬ素子を用いた表示等であっても適用できる。記録再生部２８は、映像信号処理部２４から出力される映像信号を、半導体メモリカードなどの情報媒体に記録させるとともに、情報媒体に記録された映像信号等の情報信号を再生することができる。
【００５３】
回動検出部３０は、第２の筐体４の第１の筐体５に対する回動位置を検出するものである。本実施の形態では、図１または図２において、第２の筐体４を軸支している支軸６が所定角度まで回動されるとオンになるよう操作される第１の検出スイッチ（図示せず）と、支軸７が所定角度まで回動されるとオンになるよう操作される第２の検出スイッチ（図示せず）とが、第１の筐体５に設けられている。具体的には、第１の検出スイッチは、第２の筐体４が支軸６を軸に図４Ｄに示す状態まで回動された時にオンになるように構成され、第２の検出スイッチは、第２の筐体４が支軸７の軸周りに収納状態（図４Ａ、図５に示す状態）まで回動された時にオンになるように構成されている。よって、第１の検出スイッチと第２の検出スイッチの両方がオンになっていることで、第２の筐体４が図５に示すビューワスタイルになっていることを検出することができる。また、回動検出部３０は、支軸６を中心とする第２の筐体４の回動角を検出する第３の検出スイッチを備えている。第３の検出スイッチは、第２の筐体４が、図４Ａまたは図４Ｂに示す０度位置と、図４Ｃに示す９０度位置と、図４Ｄに示す１８０度位置と、図４Ｅに示す２７０度位置とを検出することができる。
【００５４】
レンズバリア開閉制御部２９は、回動検出部３０からの制御によって、レンズバリア１０を開閉させるよう制御する。
【００５５】
ビューワ制御部４１は、回動検出部３０における検出結果に基づいて、機能割当部４２を制御する。機能割当部４２は、第２の筐体４がビューワスタイル（例えば図５参照）になったことを回動検出部３０で検出された時と、ビューワスタイル以外の状態（例えば、図４Ａ〜図４Ｅに示す状態）になったことを回動検出部３０で検出された時とで、カーソルキー４３の各キー４３ａ〜４３ｄの機能割当の設定を変更する。ビューワスタイル以外の時の各キー４３ａ〜４３ｄの機能割当の設定を「第１のキー設定情報」とし、ビューワスタイルの時の各キー４３ａ〜４３ｄの機能割当の設定を「第２のキー設定情報」とした時、各キー４３ａ〜４３ｄには（表１）に示すように機能が割り当てられる。
【００５６】
【表１】
2007097152.tif 000003
【００５７】
次に、動作について説明する。
【００５８】
図７に示すように、電源スイッチ１１（図７では図示せず）が操作されて撮影装置１の電源が投入されると、レンズバリア開閉制御部２９の制御によってレンズバリア１０が閉じた状態（図３（ａ）参照）から開いた状態（図３（ｂ）参照）へ移行される。この時、カーソルキー４３のキー割当の設定は、（表１）に示す第１のキー設定情報に設定されている。
【００５９】
次に、レンズ９を介して入射される光信号がＣＣＤ２２で電気信号に変換されて、映像信号処理部２４へ入力される。この時、第２の筐体４はまだ収納状態であるため、表示制御部２５は映像信号処理部２４からの映像信号を表示部２８へ出力していない。
【００６０】
次に、使用者によって第２の筐体４が視認可能状態（図４Ｃ参照）へ移行されると、撮影装置１が撮影可能状態へ移行される。撮影可能状態では、表示制御部２５が、映像信号処理部２４からの映像信号を表示部８へ表示させるよう制御し、表示部８にはスルー画像が表示される。そして、任意のタイミングで使用者によってシャッターボタン３１ａ（図２参照）が操作されると、映像信号処理部２４は記録再生部２８に対して映像信号を情報媒体へ記録させるよう制御する。
【００６１】
撮影装置１が撮影可能状態の時、第２の筐体４が図４Ｄの矢印Ｃに示す方向に回動されて図５に示す位置まで回動されると、回動検出部３０が第２の筐体４の回動位置を検出して、ビューワ制御部４１に対して制御信号を出力する。ビューワ制御部４１は、入力される制御信号に基づいて、機能割当部４２を制御してカーソルキー４３のキー割当の設定を、（表１）に示す第１のキー設定情報から第２のキー設定情報へ変更する。この撮影可能状態は、ポートレートモードによる撮影可能状態に相当し、図６に示すように縦長の画像を撮影することができる。ポートレートモードにおいて表示部８に表示されるスルー画像や撮影画像は、図６に示すように画像の縦方向と表示部８の長辺方向とが一致するように、表示部８に表示される。よって、表示部８の表示エリアのほぼ全域に画像を表示させることができる。
【００６２】
なお、第２の筐体４が図５に示す位置まで回動され、再生モードへ移行されると、回動検出部３０が第２の筐体４が第２の位置であることを検出して、レンズバリア開閉制御部２９とビューワ制御部４１に対して制御信号を出力する。レンズバリア開閉制御部２９は、入力される制御信号に基づき、レンズバリア１０を閉じるよう制御する。これにより、レンズバリア１０が閉じられる。また、ビューワ制御部４１は、入力される制御信号に基づいて、機能割当部４２を制御してカーソルキー４３のキー割当の設定を、（表１）に示す第１のキー設定情報から第２のキー設定情報へ変更する。
【００６３】
また、第２の筐体４が、図５に示すビューワスタイルから、所定位置（例えば図４Ｄに示す位置）まで回動されると、回動検出部３０がそれを検出し、ビューワ制御部４１に対して制御信号を出力する。ビューワ制御部４１は、入力される制御信号に基づいて、機能割当部４２を制御してカーソルキー４３のキー割当の設定を、（表１）に示す第２のキー設定情報から第１のキー設定情報へ変更する。
【００６４】
また、図５に示す状態においてレンズバリア１０が閉じられていた場合は、第２の筐体４を支軸７の回りに所定位置まで回動させることで、回動検出部３０がレンズバリア制御部２９に制御信号を出力する。レンズバリア開閉制御部２９は、入力される制御信号に基づき、レンズバリア１０を開くよう制御する。これにより、レンズバリア１０は開かれる。
【００６５】
すなわち、本実施の形態では、第２の筐体５がビューワスタイルの時に、カーソルキー４３のキー割当設定を第２のキー設定情報に設定し、第２の筐体５がビューワスタイル以外の時に、カーソルキー４３のキー割当設定を第１のキー設定情報に設定している。
【００６６】
さらに、第３の操作部３３を操作して、本装置が静止画再生モードまたは動画再生モードに設定されているとともに、第２の筐体４がビューワスタイルの時に、カーソルキー４３のキー割当設定を第２のキー設定情報に設定する構成としてもよい。このように構成することで、表示部８による静止画または動画の視聴しやすくすることができるとともに、再生時の操作性を向上させることができる。
【００６７】
次に、第２の筐体４を、図４Ｅに示す自分撮り状態へ移行させると、回動検出部３０における第３の検出スイッチは、第２の筐体４が２７０度位置まで回動した状態を検出する。回動検出部３０は、第２の筐体４が２７０度位置にあることを検出すると、表示制御部２５に対して制御信号を出力する。表示制御部２５は、入力される制御信号に基づき、表示部８に対して表示させる画像を、上下反転するよう画像処理する。すなわち、第２の筐体４が図４Ｃに示す９０度位置から、図４Ｅに示す２７０度位置へ回動されると、表示部８に表示される画像は撮影装置１が正立状態になっているのに対して天地逆転してしまう。よって、表示制御部２５において、天地逆転した画像を正立画像になるように上下反転処理することで、第２の筐体４が図４Ｅに示す自分撮り状態になったとしても、表示部８には正確は正立画像を表示させることができる。また、第２の筐体４を、図４Ｅに示す２７０度位置から、図４Ｃに示す９０度位置へ戻すことで、表示制御部２５は表示部８に表示させる画像を、再度上下反転処理し、図４Ｃに示す状態における正立画像を出力するよう制御する。
【００６８】
なお、図４Ｅでは表示部８の表示面が光軸１２に対して直交する場合について図示し、第２の筐体４を支軸６回りに２７０度の位置としたことを回動検出部３０が検出し、表示制御部２５から表示部８で表示する画像を上下反転処理する構成としたが、自分撮りの場合でも撮像装置１の高さは必ずしも撮影者の目線にあるとは限らないため、例えば光軸１２が上を向く仰角に撮像装置１を配置した場合には、第２の筐体４は２７０度未満となり、この角度で回動検出部３０が検出し、表示制御部２５に制御信号を出力する構成等であってもよい。
【００６９】
〔４．撮影装置１の動作例〕
次に、図２のように第２の筐体４を第１の位置にした場合および図５のように第２の筐体４を第２の位置にした場合について、撮像モード時と再生モード時における第１の操作部４５の操作の一例について説明する。
【００７０】
図８及び図９は、第１の操作部４５を操作した時の、表示部８の表示内容を示す模式図で、図８は撮影モード時、図９は再生モード時の表示である。
【００７１】
図において、映像表示エリア６１には、撮影モードの時は撮影中の映像等が表示され、再生モードの時は情報媒体から再生される動画や静止画が表示される。また、図９（ａ）に示すような、情報媒体に記録された画像リストを表示させることもできる。
【００７２】
映像表示エリア６１内には、第１の操作部４５の操作に伴い表示される操作アイコン６２ａや６２ｂ、撮影日時や現在日時などの情報である日時情報６３、バッテリー残量を図形で示した電池残量情報６４、画像リストに表示されるサムネイル画像６５、カーソルキー４３の操作によって移動されるカーソル６６などが表示されている。なお、これらの表示内容は一例である。
【００７３】
操作アイコン６２ａ及び６２ｂは、第１の操作部４５を操作した時に表示されるものであり、カーソルキー４３の形状および機能を模した表示となっている。本実施の形態においては、図８における操作アイコン６２ａは、撮影モードの時に表示されるものであり、上部の花の表示は「マクロ撮影」を意味し、右部の太陽の表示は「逆光補正」を意味し、下部の人物顔の表示は「肌色補正」を意味している。各表示に対応した機能を動作させたい場合は、カーソルキー４３の各キー４３ａ〜４３ｄの中から、操作アイコン６２ａの方向に対応したキーを操作すればよい。例えば、逆光補正機能を実行させたい場合は、カーソルキー４３の第４のキー４３ｄ（カーソルキー４３が第２のキー設定情報に設定されている場合は第１のキー４３ａ）を操作すればよい。また、日時情報６３には、現在日時が表示される。電池残量表示６４には、撮影装置１に内蔵されているバッテリーの残容量が図形で表示される。
【００７４】
また、撮影装置１が再生モードの時は、図９に示す表示になる。再生モードの時、操作アイコン６２ｂは図９（ｂ）に示すような表示になり、撮影装置１が動画再生モードの場合は、カーソルキー４３を操作して、再生や停止などの動作制御を行うことができる。例えば、図９（ｂ）において、操作アイコン６２ｂにおける上部の三角マークは「動画再生」を意味しており、下部の四角マークは「再生停止」を意味している。撮影装置１を図２に示す状態にして動画再生を行う際は、カーソルキー４３の第１のキー４３ａを操作し、動画再生を停止させる際は第２のキー４３ｂを操作する。なお、撮影装置１を図５に示すビューワスタイルにして動画再生を行う際は、カーソルキー４３の第３のキー４３ｃを操作し、動画再生を停止させる際は、第４のキー４３ｄを操作する。
【００７５】
また、静止画再生モードの場合は、カーソルキー４３を操作して、現在映像表示エリア６１に表示されている画像の次画像を表示させたり、スライドショー（複数の静止画を、一定時間（数秒）毎に切り替えて表示する機能）の操作を行うことができる。なお、静止画再生モードにおけるカーソルキー４３のキー割当は、前述の動画再生モード時と同様であり、撮影装置１を図２に示す状態か、図５に示すビューワスタイルのいずれかにより、キー割当設定が変更される。また、日時情報６３には、再生されている映像の撮影日時が表示される。電池残量表示６４には、撮影装置１内に装着されているバッテリーの残容量が図形で表示される。サムネイル画像６５は、情報媒体に記録されている動画や静止画のリストに相当する。
【００７６】
カーソル６６は、カーソルキー４３が操作されることによって、上下左右方向へ移動され、図９（ａ）に示す画像リストにおいては、表示されている複数のサムネイル画像６５の中から、一つを選択することができる。
【００７７】
以上の構成において、まず、撮影装置１が撮影可能状態でかつ第３の操作部３３（図２参照）の操作によって動画撮影モードあるいは静止画撮影モードに設定されている時は、映像表示エリア６１にスルー画像が表示される。次に、第１の操作部４５の中央に配されたボタン４４（図２参照）が操作されることで、図８に示すように操作アイコン６２ａが表示される。使用者は、映像表示エリア６１に表示されている映像を見ながら、カーソルキー４３を操作して、操作アイコン６２ａの中から所望の機能を実行させる。例えば、マクロ撮影に切り替えたい場合は、カーソルキー４３の第１のキー４３ａを操作することで、撮影装置１がマクロ撮影状態に切り替わる。次に、ボタン４４を操作することで、操作アイコン６２ａを非表示にすることができる。
【００７８】
また、第２の筐体４を回動させて撮影装置１を図５に示すビューワスタイルにし、撮影装置１を第３の操作部３３の操作により動画再生モードあるいは静止画再生モードにした時は、図９（ａ）に示すように、情報媒体に記録されている静止画や動画のリスト（サムネイル画像６５）が表示される。
【００７９】
次に、第２のキー設定情報に設定されたカーソルキー４３を操作してカーソル６６を移動させ、再生したい静止画または動画のサムネイル画像６５へ移動させる。今、撮影装置１がビューワスタイルになっているため、（表１）に示すように、カーソルキー４３の第１のキー４３ａを操作することでカーソル６６を右方向へ移動させ、第２のキー４３ｂを操作することでカーソル６６を左方向へ移動させることができる。
【００８０】
次に、再生したい静止画または動画のサムネイル画像にカーソル６６を合わせた状態で、ボタン４４を操作することで、選択された静止画または動画が再生される。再生中は、図９（ｂ）に示すような操作アイコン６２ｂが表示される。
【００８１】
例えば、静止画再生中に第３のキー４３ｃが操作されると、現在表示されている画像の次画像が表示され、第１または第２のキー４３ａまたは４３ｂが操作されると、スライドショー表示が実行される。スライドショー表示は、第４のキー４３ｄを操作することで停止させることができる。
【００８２】
また、動画再生中は、第３のキー４３ｃは再生命令、第４のキー４３ｄは停止命令、第２のキー４３ｂは巻き戻し命令、第１のキー４３ａは早送り命令を、それぞれ行うことができる。
【００８３】
なお、図９における動作説明は、撮影装置１がビューワスタイルで、かつカーソルキー４３のキー割当設定が第２の設定の時の動作を説明したが、撮影装置１を図１及び図２における撮影可能状態とし、カーソルキー４３のキー割当設定が第１の設定であっても、同様に操作することで同様に動作する。また、操作アイコン６２ａ及び６２ｂの表示内容や機能割当は一例である。
【００８４】
〔５．実施の形態の効果、他〕
以上のように本実施の形態によれば、撮影装置１を図５に示すようなビューワスタイルへ移行させた時、機能割当部４２によってカーソルキー４３の第１〜第４のキー４３ａ〜４３ｄの機能割当が、表示部８の表示の向きに対して相対的に一致するように変更されるので、使用者における誤操作を防止し、使い勝手を向上させることができる。
【００８５】
また、撮影装置１をビューワスタイルにして静止画再生または動画再生する時のみ、カーソルキー４３のキー割当設定を第２のキー設定情報に示す設定にすることもでき、再生時の映像視認性、カーソルキー４３の操作性を向上させることができる。
【００８６】
また、ビューワスタイルへ移行させた時に、レンズバリア１０が閉じられるよう制御されるので、使用者においてレンズバリア１０を手動で開閉させる手間が省け、操作性を向上させることができる。また、ビューワスタイルにおいて、レンズバリア１０が閉じられるので、レンズを傷や異物から保護することができる。なお、レンズバリア１０の制御を第２の筐体４が支軸７に関する感動に連動して開閉する制御としたが、これに限定されるものではなく、例えばレンズバリア１０の開閉は電源ボタン１１と第３の操作部３３とによる撮像及び再生かの選択とで決定する制御、または単に電源ボタン１１のみに依存しビューワスタイルへ移行させてもレンズバリアは閉じないといったような制御であってもよい。
【００８７】
また、支軸６（開閉支軸）は、第１の筐体５の一側面に対し平行に配置されている。また、第２の筐体４は、表示部８が第１の筐体５の一側面側に平行に対向した第１の状態と、支軸６の軸回りの回動により表示部８の背面が第１の筐体５の一側面側に平行に対向した第２の状態とを有し、回動検出部３０が第２の状態を検出した時、ビューワ制御部４１により操作方向が表示部８の表示に向きに相対的に一致させる制御を行うように構成されている。この構成により、カーソルキー４３の操作方向が、表示部８の表示の向きに対して相対的に一致するように変更されるので、使用者における誤操作を防止し、使い勝手を向上させることができる。
【００８８】
なお、カーソルキー４３のキー割当設定を、表示部８に表示される操作アイコン６２ａまたは６２ｂの方向に相対的に一致させる構成としたが、例えば撮像動作や再生動作に係る詳細メニュー画面をテーブル状に配列した構成等各種機能を単独または複合して適用することができる。
【産業上の利用可能性】
【００８９】
本発明は、デジタルカメラの他、デジタルビデオカメラやカメラ付き携帯電話機など、少なくとも回動自在な表示部を備えるとともに撮影手段を搭載した機器であれば利用可能である。
【図面の簡単な説明】
【００９０】
【図１】本発明の実施の形態１における撮影装置の斜視図
【図２】実施の形態１における撮影装置の斜視図
【図３】実施の形態１における撮影装置のレンズバリアを示す正面図
【図４Ａ】実施の形態１における第２の筐体が第１の筐体に収納されている状態を示す斜視図
【図４Ｂ】実施の形態１における第２の筐体が略水平位置まで回動した状態を示す斜視図
【図４Ｃ】実施の形態１における第２の筐体が、表示部が操作部と略同一方向を向いた状態を示す斜視図
【図４Ｄ】実施の形態１における第２の筐体が略水平位置まで回動した状態を示す斜視図
【図４Ｅ】実施の形態１における撮影装置の自分撮り状態を示す斜視図
【図５】実施の形態１における撮影装置のビューワスタイル状態を示す斜視図
【図６】実施の形態１における撮影装置のポートレートモードでの撮影状態を示す斜視図
【図７】実施の形態１における撮影装置の構成を示すブロック図
【図８】実施の形態１における撮影可能状態の表示部の表示状態を示す模式図
【図９】実施の形態１における再生状態に表示部の表示状態を示す模式図
【図１０】従来の制御装置の構成を示す正面図
【図１１】従来の制御装置の構成を示す正面図
【図１２】従来の制御装置の構成を示す平面図
【符号の説明】
【００９１】
１  撮影装置
４、２７  第２の筐体
５  第１の筐体
６、７  支軸
８、２６  表示部
２２  撮像素子
３０  回動検出部
４１  ビューワ制御部
４２  機能割当部
４３  カーソルキー
４５  第２の操作部
【図１】
2007097152.tif 000004
【図２】
2007097152.tif 000005
【図３】
2007097152.tif 000006
【図４Ａ】
2007097152.tif 000007
【図４Ｂ】
2007097152.tif 000008
【図４Ｃ】
2007097152.tif 000009
【図４Ｄ】
2007097152.tif 000010
【図４Ｅ】
2007097152.tif 000011
【図５】
2007097152.tif 000012
【図６】
2007097152.tif 000013
【図７】
2007097152.tif 000014
【図８】
2007097152.tif 000015
【図９】
2007097152.tif 000016
【図１０】
2007097152.tif 000017
【図１１】
2007097152.tif 000018
【図１２】
2007097152.tif 000019